(57)【要約】      （修正有）【課題】遮音性、吸音性、遮音および吸音性が高い複合体を提供する。【解決手段】複合体１は塗装遮音材３と塗装素形材２と塗装吸音材４を有する。塗装遮音材３と塗装素形材２の間に有機樹脂層６が存在するとともに、塗装素形材２と塗装吸音材４の間に有機樹脂層６が存在し、塗装遮音材３と塗装素形材２においては少なくともどちらか一方の表面に有機樹脂層６を有してあり、塗装素形材２と塗装吸音材４においては少なくともどちらか一方の表面に有機樹脂層６を有する。【選択図】図１
2019139109.tif 000002
【特許請求の範囲】
【請求項１】
塗装遮音材と塗装素形材を有する複合体であって、塗装遮音材と塗装素形材の少なくともどちらか一方の表面に有機樹脂層を有している音制御性を有する複合体。
【請求項２】
表面に凹部を複数有する塗装吸音材と塗装素形材を有する複合体であって、塗装吸音材と塗装素形材の少なくともどちらか一方の表面に有機樹脂層を有している音制御性を有する複合体。
【請求項３】
塗装遮音材と塗装素形材と表面に凹部を複数有する塗装吸音材を有する複合体であって、塗装遮音材と塗装素形材の間に有機樹脂層が存在するとともに、塗装素形材と塗装吸音材の間に有機樹脂層が存在し、塗装遮音材と塗装素形材においては少なくともどちらか一方の表面に有機樹脂層を有してあり、塗装素形材と塗装吸音材においては少なくともどちらか一方の表面に有機樹脂層を有している音制御性を有する複合体。
【請求項４】
塗装遮音材とホットメルトフィルムと塗装素形材を有する複合体であって、塗装遮音材と塗装素形材の少なくともどちらか一方の表面に有機樹脂層を有しており、ホットメルトフィルムが前記有機樹脂層に融着していることを特徴とする音制御性を有する複合体。
【請求項５】
表面に凹部を複数有する塗装吸音材とホットメルトフィルムと塗装素形材を有する複合体であって、塗装吸音材と塗装素形材の少なくともどちらか一方の表面に有機樹脂層を有しており、ホットメルトフィルムが前記有機樹脂層に融着していることを特徴とする音制御性を有する複合体。
【請求項６】
塗装遮音材と塗装素形材と表面に凹部を複数有する塗装吸音材のそれぞれの間の、少なくとも何れか１箇所の間にホットメルトフィルムを有する複合体であって、塗装遮音材と塗装素形材においては少なくともどちらか一方の表面に有機樹脂層を有してあり、塗装素形材と塗装吸音材においては少なくともどちらか一方の表面に有機樹脂層を有していて、ホットメルトフィルムが有機樹脂層に融着していることを特徴とする音制御性を有する複合体。
【請求項７】
有機樹脂層が酸変性ポリプロピレンを含むことを特徴とする請求項１〜６のいずれかに記載の音制御性を有する複合体。
【請求項８】
有機樹脂層がポリカーボネートユニット含有ポリウレタン樹脂を含むことを特徴とする請求項１〜６のいずれかに記載の音制御性を有する複合体。
【請求項９】
塗装素形材は鉄鋼材料または非鉄金属または熱硬化性プラスチックである請求項１〜６のいずれかに記載の音制御性を有する複合体。
【請求項１０】
塗装遮音材と塗装素形材と塗装吸音材の少なくとも何れか１体が加工された形状であることを特徴とする請求項１〜６のいずれかに記載の音制御性を有する複合体。
【請求項１１】
塗装遮音材と塗装素形材と塗装吸音材の少なくとも何れか１体が平板形状であることを特徴とする請求項１〜６のいずれかに記載の音制御性を有する複合体。
【発明の詳細な説明】
【技術分野】
【０００１】
本発明は、建築物の外壁や屋根、室内パーテーションなどの建築部材や、輸送機器の駆動音の漏洩を抑制する車体部品に有機樹脂層を複合体の素材間に有する音制御性に優れた複合体に関するものである。
【背景技術】
【０００２】
都市部への住宅やオフィスビルの拡大により、建築物・空間における心身安定した生活や仕事を実現するため外部からの騒音侵入抑制の要求が強くなっている。特に高層マンションやオフィスビルは、都市部の中心に建設される場合が多いことから建築物外から侵入する騒音が多くなりやすい。また、多くの住人が存在することから、隣接した空間からの騒音に配慮する必要がある。このような騒音の侵入・漏洩を抑制する方法としては、建築物の外壁や屋根、内壁の板厚を増やす場合があり、この場合では住空間が狭くなってしまうという問題がある。
【０００３】
自動車分野においては、環境負荷物質低減の観点から電気自動車が普及してきている。電気自動車のメリットの一つとして、化石燃料自動車と比べて駆動音が小さいことがあるが、最近では車内空間や車外への駆動音のさらなる漏洩を抑制することが望まれている。しかし、駆動音の漏洩を抑制するためには、駆動によって振動する領域に振動抑制材を重ねる方法が適用される場合があり、この場合には車両重量が増加して電気消費量も増えてしまうという問題がある。
【０００４】
上記に示した問題に対して、特許文献１にはフェルトシート製で空間領域がある吸音材と樹脂製の遮音材を重ね合せた複合材を用いることが提案されている。しかし、この複合材は、空間領域を設けなければならないため板厚が厚くなり、住空間が狭くなるという問題がある。また、特許文献２では、金属板間に樹脂材を設置して接着工法で接合した複合材が提案されている。しかし、この複合材は、接着剤で製造されるため接着剤の塗布や乾燥の工程が必要であり、生産効率が低下するという問題がある。
【先行技術文献】
【特許文献】
【０００５】
【特許文献１】特開平１１−２７００１４号公報
【特許文献２】特開２００３−００１７５５号公報
【発明の概要】
【発明が解決しようとする課題】
【０００６】
本発明は、従来方法の問題を解消して建築部材や輸送機器の車体部品に対して適用できる、遮音性能や吸音性能を持つ複合体を実現している。
【課題を解決するための手段】
【０００７】
本発明の内容は以下の通りである。
（１）塗装遮音材と塗装素形材を有する複合体であって、塗装遮音材と塗装素形材の少なくともどちらか一方の表面に有機樹脂層を有している音制御性を有する複合体。
（２）表面に凹部を複数有する塗装吸音材と塗装素形材を有する複合体であって、塗装吸音材と塗装素形材の少なくともどちらか一方の表面に有機樹脂層を有している音制御性を有する複合体。
（３）塗装遮音材と塗装素形材と表面に凹部を複数有する塗装吸音材を有する複合体であって、塗装遮音材と塗装素形材の間に有機樹脂層が存在するとともに、塗装素形材と塗装吸音材の間に有機樹脂層が存在し、塗装遮音材と塗装素形材においては少なくともどちらか一方の表面に有機樹脂層を有してあり、塗装素形材と塗装吸音材においては少なくともどちらか一方の表面に有機樹脂層を有している音制御性を有する複合体。
（４）塗装遮音材とホットメルトフィルムと塗装素形材を有する複合体であって、塗装遮音材と塗装素形材の少なくともどちらか一方の表面に有機樹脂層を有しており、ホットメルトフィルムが前記有機樹脂層に融着していることを特徴とする音制御性を有する複合体。
（５）表面に凹部を複数有する塗装吸音材とホットメルトフィルムと塗装素形材を有する複合体であって、塗装吸音材と塗装素形材の少なくともどちらか一方の表面に有機樹脂層を有しており、ホットメルトフィルムが前記有機樹脂層に融着していることを特徴とする音制御性を有する複合体。
（６）塗装遮音材と塗装素形材と表面に凹部を複数有する塗装吸音材のそれぞれの間の、少なくとも何れか１箇所の間にホットメルトフィルムを有する複合体であって、塗装遮音材と塗装素形材においては少なくともどちらか一方の表面に有機樹脂層を有してあり、塗装素形材と塗装吸音材においては少なくともどちらか一方の表面に有機樹脂層を有していて、ホットメルトフィルムが有機樹脂層に融着していることを特徴とする音制御性を有する複合体。
（７）前記の有機樹脂層が酸変性ポリプロピレンを含むことを特徴とする音制御性を有する複合体。
（８）前記の有機樹脂層がポリカーボネートユニット含有ポリウレタン樹脂を含むことを特徴とする音制御性を有する複合体。
（９）前記の塗装素形材は鉄鋼材料または非鉄金属または熱硬化性プラスチックである音制御性を有する複合体。
（１０）前記の塗装遮音材と塗装素形材と塗装吸音材の少なくとも何れか１体が加工された形状であることを特徴とする音制御性を有する複合体。
（１１）前記の塗装遮音材と塗装素形材と塗装吸音材の少なくとも何れか１体が平板形状であることを特徴とする音制御性を有する複合体。
【発明の効果】
【０００８】
本発明によれば、塗装遮音材や塗装素形材、塗装吸音材の複合体を構成する素材（以下、複合体構成素材と記す）が様々な種類であっても、密着性に優れた遮音性能や吸音性能、遮音および吸音性能といった音制御性を有する複合体が提供される。
【図面の簡単な説明】
【０００９】
【図１】本発明の複合体の一例に係る断面図である。
【図２】本発明の複合体のその他の例に係る断面図である。
【発明を実施するための形態】
【００１０】
１．複合体
本発明の複合体は、一方面あるいは両面に有機樹脂層を形成した塗装素形材や塗装遮音材、塗装吸音材を互いの樹脂層とで接合している。
【００１１】
図１は、本発明の複合体の一例である。複合体１は、図１に示したように、塗装素形材２、塗装遮音材３、表面に凹部（図示していない）を複数有する塗装吸音材４を有する。図１の複合体１は一例であり、塗装素形材２と塗装遮音材３、塗装素形材２と表面に凹部を複数有する塗装吸音材４の組合せであっても良い。また、塗装素形材２は、素形材５と有機樹脂層６を有する。塗装遮音材３と塗装吸音材４は、各々、遮熱材７と有機樹脂層６、吸音材８と有機樹脂層６を有し、構造としては二層構造である。さらに、塗装遮音材３と塗装吸音材４は、材質が熱可塑性樹脂の場合は、有機樹脂層６の被覆は省略できる。
【００１２】
図２は、本発明の複合体のその他の例である。複合体１は、図２に示したように、塗装素形材２、塗装遮音材３、表面に凹部（図示していない）を複数有する塗装吸音材４を有し、各々の複合体構成素材間のホットメルトフィルム９を挿入して、各素材の有機樹脂層６と融着している。図２の複合体１は一例であり、塗装素形材２と塗装遮音材３とホットメルトフィルム９、塗装素形材２と塗装吸音材４とホットメルトフィルム９の組合せであっても良い。
【００１３】
２．塗装素形材
本発明の塗装素形材２は、素形材５と有機樹脂層６を含む。有機樹脂層６は、素形材５の表面に形成されている。また、塗装素形材２の形状は、特に限定されず、平板や絞り形状などの加工形状でも良い。素形材５表面への有機樹脂層６の被覆方法も、特に限定されず、ロールコート法やカーテンフロー法、スピンコート法、スプレー法、浸漬引き上げ法などを適用できる。
【００１４】
素形材５の材質は、特に限定されない。例えば、亜鉛めっき鋼板、Ｚｎ−Ａｌ合金めっき鋼板、Ｚｎ−Ａｌ−Ｍｇ合金めっき鋼板、Ｚｎ−Ａｌ−Ｍｇ−Ｓｉ合金めっき鋼板、アルミニウムめっき鋼板、ステンレス鋼板、特殊鋼などの鉄鋼材料やアルミニウム合金や銅合金、マグネシウム合金、チタンなどの非鉄金属材料、熱硬化性プラスチックが含まれる。
【００１５】
３．有機樹脂層
有機樹脂層６は、有機樹脂を含有する層であり、複合体構成素材どうしの密着性を向上させる。有機樹脂層６は、素形材５の表面に形成されている。
【００１６】
有機樹脂層６の有機樹脂の種類は、素形材５と水素結合する官能基（水素結合性官能基）を有し、ホットメルトフィルム９に対する融着性を有するものであれば、特に限定されない。前記の水素結合性官能基の例には、カルボキシル基およびアミノ基が含まれる。水素接合性官能基を有し、ホットメルトフィルム９との融着性も有する樹脂としては、酸変性ポリプロピレン系樹脂やポリカーボネートユニット含有ポリウレタン樹脂があり、これらは特に融着性が高い。また、その他にポリエチレン系樹脂、ポリプロピレン系樹脂、ポリスチレン系樹脂などが含まれる。これらの樹脂は、単独で使用しても良いし、２種以上を組み合わせて使用しても良い。
【００１７】
４．塗装遮音材
塗装遮音材３は、前述のように遮音材７と有機樹脂層６を有しており、板状だけでなく絞り形状などの加工形状としても良い。また、遮音材７の材質が熱可塑性樹脂の場合は、有機樹脂層６の被覆は省略しても良い。有機樹脂層６は、塗装素形材２の有機樹脂層６と同じである。また、遮音材７としては、特に限定されず、ポリカーボネートユニット含有ポリウレタン樹脂、ポリエチレン系樹脂、ポリプロピレン系樹脂、ポリスチレン系樹脂、ポリエステル系樹脂、アクリル系樹脂、合成ゴム、天然ゴムなどが含まれる。このような塗装遮音材３は、音による空気振動が塗装遮音材３に衝突した場合に遮音材７が振動し、その振動が板厚方向で減衰することで音の侵入を抑制している。
【００１８】
５．塗装吸音材
塗装吸音材４は、前述のように吸音材８と有機樹脂層６を有しており、板状だけでなく絞り形状などの加工形状としても良い。吸音材８の材質が熱可塑性樹脂の場合は、有機樹脂層６の被覆は省略しても良い。また、表面に凹部を複数有しており、凹部の深さは特に限定されない。有機樹脂層６は、塗装素形材２の有機樹脂層６と同じである。吸音材８としては、特に限定されず、ポリカーボネートユニット含有ポリウレタン樹脂、ポリエチレン系樹脂、ポリプロピレン系樹脂、ポリスチレン系樹脂、ポリエステル系樹脂、アクリル系樹脂、合成ゴム、天然ゴムなどが含まれる。さらに、使用形態としては、凹部が存在する面を音が発生する側に位置させて使用する。例えば、室内の音を吸収する場合には、室内側に凹部が存在する面を設置する。塗装吸音材４の効果は、音による空気振動が凹部内に侵入し、凹部内で吸音材８の振動と凹部以外の領域での減衰により、発生した音を吸収している。
【００１９】
前記で示した塗装遮音材３と塗装吸音材４とを組み合わせることにより、外部音の侵入と発生音の吸収を同時に発現することができるため、より効果的に静音状態を確保することができる。
【００２０】
６．ホットメルトフィルム
ホットメルトフィルム９の種類は、熱可塑性樹脂組成物の延伸または押出し成形などの既存方法で作製され、加熱により溶融して種々の部材と接合力を発現する成分で構成されるフィルムまたはシート状のものであれば、特に限定されない。例えば、ポリウレタン系、ポリエステル系、ポリオレフィン系などが適用できる。
【実施例】
【００２１】
１．塗装素形材の作製
（１）素形材
素形材４として、片面当りのめっき付着量が４５ｇ／ｍ２の溶融Ｚｎ−６質量％Ａｌ−３質量％Ｍｇ合金めっき鋼板を使用した。このめっき鋼板の基材は、冷間圧延鋼板（ＳＰＣＣ）である。また、この素形材４の寸法は、幅２００ｍｍ、長さ２００ｍｍ、板厚０．８ｍｍである。
【００２２】
（２）有機樹脂塗料の調製
有機樹脂のエマルジョン、ポリエチレンワックスおよび架橋剤を水に添加して不揮発成分が２０質量％の有機樹脂塗料を調製した。有機樹脂のエマルジョンには、ウレタン系樹脂のエマルジョン、ポリプロピレン系樹脂のエマルジョン（アデカボンタイターＨＵＸ−３８６：株式会社ＡＤＥＫＡ）を用いた。ウレタン系樹脂のエマルジョンには、市販のポリカーボネートユニットを含有するポリウレタン樹脂のエマルジョンを用いた。ポリプロピレン系樹脂のエマルジョンには、市販の酸変性ポリプロピレン樹脂エマルジョン（ハードレンＮＺ−１００５：東洋紡株式会社）を用いた。
【００２３】
（３）有機樹脂層の形成
前記の素形材４を液温４０℃、ｐＨ１２のアルカリ脱脂水溶液（ＳＤ−２７０：日本ペイント株式会社）に１分間浸漬して、表面を脱脂した。次いで、脱脂した素形材４の表面に上記（２）で調製した有機樹脂塗料をロールコーターで塗布し、到達温度が１５０℃となるように熱風乾燥機で乾燥させて、有機樹脂層６を形成した。有機樹脂層６の付着量は、有機樹脂塗料の種類に係わらず約１．２ｇ／ｍ２であった。こうして、塗装素形材２を得た。
【００２４】
２．塗装遮音材
塗装遮音材３としては、遮音材７の表面に有機樹脂層６を被覆した構造とした。遮音材７としては、板厚が０．５ｍｍで、幅２００ｍｍ、長さ２００ｍｍの天然ゴムを用いた。有機樹脂層６の有機樹脂種類と被覆方法は、上記の「１．（２）」および「１．（３）」と同じである。
【００２５】
３．塗装吸音材
塗装吸音材４としては、吸音材８の表面に有機樹脂層６を被覆した構造とした。吸音材８としては、板厚が３ｍｍで、幅２００ｍｍ、長さ２００ｍｍのアクリル系樹脂を用いた。有機樹脂層６の有機樹脂種類と被覆方法は、上記の「１．（２）」および「１．（３）」と同じである。吸音材８の凹部は、直径２０ｍｍで深さ３ｍｍとして、幅方向および長さ方向とも、円中心間隔をエッジから３４ｍｍとして１６箇所設けた。
【００２６】
４．ホットメルトフィルムの種類
ホットメルトフィルム９としては、ポリウレタン系で厚さが７０μｍ、融点が１１０℃のＳＨＭ１０７−ＰＵＲ（シーダム株式会社）と、ポリプロピレン系で厚さが４０μｍ、融点が１３９℃のアドマーＱＥ０６０（三井化学東セロ株式会社）を用いた。
【００２７】
４．複合体構成素材の接合方法
上記の「２．」および「３．」の塗装遮音材３と塗装吸音材４を、上記「１．」の塗装素形材２の各面に重ね合せ、加熱した金型で加圧して接合した。熱融着条件は、加圧力が１ＭＰａ、温度が１５０℃、加熱後の金型保持時間が５秒である。また、上下の金型寸法は、幅２５０ｍｍ、長さ２５０ｍｍ、高さ２０ｍｍの矩形状である。ホットメルトフィルム９を挿入した複合体１の場合も、熱融着条件は前記と同じである。さらに、上記の「２．」の塗装遮音材３と上記「１．」の塗装素形材２の組み合わせと、上記「３．」の塗装吸音材４と上記「１．」の塗装素形材２の組み合わせについても前記と同じ加熱・加圧方法および熱融着条件で複合体１を作製した。
【００２８】
５．遮音性および断熱性の評価方法
表１に上記の「１．」〜「４．」で作製した複合体１を示す。比較例としては、塗装遮音材３や塗装吸音材４を接合していない塗装素形材２のみとした。遮音性および吸音性の評価は、各複合体１の塗装遮音材３や塗装吸音材４の一方面側から周波数を変更して音を印加して、印加側の音圧と複合体１を通過した際の音圧を測定した。印加側と通過側の音圧差が４０ｄＢ以下を「○」で合格とし、４０ｄB超は「×」で不合格とした。
【００２９】
上記「５．」で評価した放熱性の結果も表１に示した。本発明の複合体１は、何れも十分な遮音性や吸音性を示して合格であったが、比較例は不合格であった。
【００３０】
【表１】
2019139109.tif 000003
【産業上の利用可能性】
【００３１】
本発明の複合体は、優れた遮音性や吸音性を有していることから、建築部材や輸送機器の車体部品に好適である。
【符号の説明】
【００３２】
１・・・複合体
２・・・塗装素形材
３・・・塗装遮音材
４・・・塗装吸音材
５・・・素形材
６・・・有機樹脂層
７・・・遮音材
８・・・吸音材
９・・・ホットメルトフィルム
【図１】
2019139109.tif 000004
【図２】
2019139109.tif 000005